(57)【要約】【課題】本発明は、誤ってタッチ式表示パネルが他の物品と接触することで表示画面のロックが解除されることを防止でき、且つユーザに面白い操作体験を提供することができる表示画面ロック解除方法及びそのシステムを提供することを目的とする。【解決手段】本発明に係る表示画面ロック解除方法は、電子装置のタッチパネルにおいて、予め設定された質問を含むアンロック応答画面を表示させる表示ステップと、ユーザが入力した答えを受信する受信ステップと、ユーザが入力した答えが正解であるかどうかを判断し、正解である場合に電子装置の表示画面をロック状態から解除し、ユーザが入力した答えが正解でない場合、電子装置の表示画面をロック状態から解除せず、且つ表示ステップに戻る判断ステップと、電子装置の表示画面をロック状態から解除するアンロックステップと、を備える。【選択図】図２
2014137822.tif 000002
【特許請求の範囲】
【請求項１】
電子装置のタッチパネルにおいて、予め設定された質問を含むアンロック応答画面を表示させる表示ステップと、
ユーザが入力した答えを受信する受信ステップと、
ユーザが入力した答えが正確であるかどうかを判断し、正確である場合に電子装置の表示画面をロック状態から解除し、ユーザが入力した答えが正確でない場合、電子装置の表示画面をロック状態から解除せず、且つ前記表示ステップに戻る判断ステップと、
前記電子装置の表示画面をロック状態から解除するアンロックステップと、
を備えることを特徴とする表示画面ロック解除方法。
【請求項２】
前記予め設定された質問は、数学の計算問題であることを特徴とする請求項１に記載の表示画面ロック解除方法。
【請求項３】
前記表示ステップにおいて、前記予め設定された質問の複数の答えの候補を表示して、ユーザにより前記複数の答えの候補の中から正解を選択させることを特徴とする請求項１に記載の表示画面ロック解除方法。
【請求項４】
前記受信ステップにおいて、ユーザが前記複数の答えの候補の中から選択した答えを受信することを特徴とする請求項３に記載の表示画面ロック解除方法。
【請求項５】
前記判断ステップにおいて、ユーザが入力した答えと予め設定された正解とを対比することで、ユーザが入力した答えが正解であるかどうかを判断することを特徴とする請求項１に記載の表示画面ロック解除方法。
【請求項６】
電子装置のタッチパネルにおいて、予め設定された質問を含むアンロック応答画面を表示する表示モジュールと、
ユーザが入力した答えを受信する受信モジュールと、
ユーザが入力した答えが正解であるかどうかを判断する判断モジュールと、
ユーザが入力した答えが正解である場合、前記電子装置の表示画面をロック状態から解除するアンロックモジュールと、
を備えることを特徴とする表示画面ロック解除システム。
【請求項７】
前記予め設定された質問は、数学の計算問題であることを特徴とする請求項６に記載の表示画面ロック解除システム。
【請求項８】
前記表示モジュールは、前記予め設定された質問の複数の答えの候補を表示して、ユーザにより前記複数の答えの候補の中から正解を選択させることを特徴とする請求項６に記載の表示画面ロック解除システム。
【請求項９】
前記受信モジュールは、ユーザが前記複数の答えの候補の中から選択した答えを受信することを特徴とする請求項８に記載の表示画面ロック解除システム。
【請求項１０】
前記判断モジュールは、ユーザが入力した答えと予め設定された正解とを対比することで、ユーザが入力した答えが正解であるかどうかを判断することを特徴とする請求項６に記載の表示画面ロック解除システム。
【発明の詳細な説明】
【技術分野】
【０００１】
本発明は、電子装置のタッチ式表示パネルのロック状態にある表示画面（ユーザインターフェース）を解除するための方法及びそのシステムに関するものである。
【背景技術】
【０００２】
電子装置を長時間使用しない場合、他人が勝手に電子装置を使用することを防止するために、通常、電子装置に対して表示画面をロックするためのロックソフトをインストールする。
【０００３】
また、最近のタッチパネルを有する電子装置の殆んどが、アイコンをスライド又は移動させることによって、表示画面のロックを解除する。しかし、このようなロック解除方式は、例えば、携帯電話機などをカバンの中に入れた場合、タッチパネルが他の物品と接触又は衝突して、当該物品によりアイコンがスライドされて、電子装置の表示画面のロック状態が誤って解除される問題がよく発生している。
【発明の概要】
【発明が解決しようとする課題】
【０００４】
以上の問題点に鑑みて、本発明は、誤ってタッチ式表示パネルが他の物品と接触することで表示画面のロックが解除されることを防止でき、且つユーザに面白い操作体験を提供することができる表示画面ロック解除方法及びそのシステムを提供することを目的とする。
【課題を解決するための手段】
【０００５】
上記の課題を解決するために、本発明に係る表示画面ロック解除方法は、電子装置のタッチパネルにおいて、予め設定された質問を含むアンロック応答画面を表示させる表示ステップと、ユーザが入力した答えを受信する受信ステップと、ユーザが入力した答えが正解であるかどうかを判断し、正解である場合に電子装置の表示画面をロック状態から解除し、ユーザが入力した答えが正解でない場合、電子装置の表示画面をロック状態から解除せず、且つ前記表示ステップに戻る判断ステップと、前記電子装置の表示画面をロック状態から解除するアンロックステップと、を備える。
【０００６】
また、上記の課題を解決するために、本発明に係る表示画面ロック解除システムは、電子装置のタッチパネルにおいて、予め設定された質問を含むアンロック応答画面を表示させる表示モジュールと、ユーザが入力した答えを受信する受信モジュールと、ユーザが入力した答えが正解であるかどうかを判断する判断モジュールと、ユーザが入力した答えが正解である場合、前記電子装置の表示画面をロック状態から解除するアンロックモジュールと、を備える。
【発明の効果】
【０００７】
従来のスライド式のアンロック方法に対して、本発明は、対応する応用プログラムをインストールして、問答の方式を介してタッチ式表示パネルの表示画面をロック状態から解除するので、誤ってタッチ式表示パネルが他の物品に接触することで表示画面のロックが解除されることを防止でき、且つユーザに面白い操作体験を提供することができる。
【図面の簡単な説明】
【０００８】
【図１】本発明の実施形態に係る表示画面ロック解除システムの実行環境を示す図である。
【図２】本発明の実施形態に係る表示画面ロック解除システムの機能モジュールを示す図である。
【図３】本発明の表示画面ロック解除方法のフローチャートである。
【図４】本発明の表示画面ロック解除方法の第一実施形態に係るアンロック応答画面を示す図である。
【図５】本発明の表示画面ロック解除方法の第二実施形態に係るアンロック応答画面を示す図である。
【発明を実施するための形態】
【０００９】
図１に示すように、本発明の実施形態に係る表示画面ロック解除システム１０は、電子装置１の中で実行される。電子装置１は、メモリ１２と、プロセッサ１４と、タッチパネル１６と、を備える。また、電子装置１は、タブレットパソコン、スマートフォン或いはデジタルカメラ等であっても良い。
【００１０】
メモリ１２は、表示画面ロック解除システム１０のソースコード等のデータを格納するために用いられる。タッチパネル１６は、電子装置１の入力部品として、ユーザが入力した予め設定された質問の答えを受信する。ユーザが正しい答えを入力した場合、タッチパネル１６の表示画面はロック状態から解除され、ユーザは、タッチパネル１６を引き続き操作することができる。例えば、表示されているアイコンをクリックして選択し、又は文字等を入力することができる。
【００１１】
本実施形態において、表示画面ロック解除システム１０は、複数のモジュールに分割されている。各モジュールは、ある特定の機能を実現するためのプログラムである。これらのプログラムを電子装置１の読み込み可能なメモリ１２或いは他の記憶装置の中に格納させた後、１つのプロセッサ１４を介して当該プログラムを実行することによって、本発明の表示画面のロックを解除するための流れが完成する。具体的には、図２に示すように、表示画面ロック解除システム１０は、表示モジュール１００と、受信モジュール１０２と、判断モジュール１０４と、アンロックモジュール１０６とを備える。各モジュールの機能については、図３の説明を参照されたい。
【００１２】
図３に示すように、本発明の実施形態に係る表示画面ロック解除方法は、以下のステップＳ１０〜Ｓ１３を備える。
【００１３】
ステップＳ１０において、表示モジュール１００は、タッチパネル１６において予め設定された質問及び複数候補の答えを含むアンロック応答画面を表示する。前記アンロック応答画面は、ユーザに予め設定された質問の正解を入力させるように提示（注意）して、ロックを解除させる。本実施形態において、前記予め設定された質問は、ある簡単な数学の計算問題（図４を参照）であるか、又は、ユーザ名、年齢などを質問するためのダイアログである。また、表示モジュール１００は、電子装置１が持続して所定の時間（例えば、１０秒間）待機すると、タッチパネル１６の表示画面をロックし、且つ前記アンロック応答画面を表示する。
【００１４】
ステップＳ１１において、受信モジュール１０２は、ユーザが入力した前記予め設定された質問の答えを受信する。本実施形態において、ユーザの入力方式は、複数候補の答えの中から正解を選択することである（図４を参照）。
【００１５】
ステップＳ１２において、判断モジュール１０４は、ユーザが入力した答えが正解であるかどうかを判断する。正解であれば、下記のステップＳ１３を実行する。正解でない場合、タッチパネル１６の表示画面のロック状態を解除せず、且つ上記のステップＳ１０に戻る。本実施形態において、ユーザが入力した答えとシステムの中に記憶されている正解（ユーザにより予め設定されたものである）とを対比させることによって、ユーザが入力した答えが正解であるかどうかを判断する。
【００１６】
ステップＳ１３において、アンロックモジュール１０６は、電子装置１のタッチパネル１６の表示画面をロック状態から解除する。
【００１７】
図５に示すように、本発明の表示画面ロック解除方法の第二実施形態に係るアンロック応答画面は、じゃんけんゲームである。ユーザがこのじゃんけんゲームに勝った場合、タッチパネル１６の表示画面がロック状態から解除される。
【００１８】
上記の記載から分かるように、本発明は、応答方式のロックインターフェイスを設定することで、電子装置の表示画面をロック状態から解除する。これにより、誤ってタッチ式表示パネルに接触したことで表示画面のロックが解除されることを防止でき、且つユーザに面白い操作体験を提供することができる。
【符号の説明】
【００１９】
１  電子装置
１０  表示画面ロック解除システム
１２  メモリ
１４  プロセッサ
１６  タッチパネル
１００  表示モジュール
１０２  受信モジュール
１０４  判断モジュール
１０６  アンロックモジュール
【図１】
2014137822.tif 000003
【図２】
2014137822.tif 000004
【図３】
2014137822.tif 000005
【図４】
2014137822.tif 000006
【図５】
2014137822.tif 000007